(57)【特許請求の範囲】
【請求項１】
次の要件（Ａ01）〜（Ａ09），（Ａ03ａ）を備えたことを特徴とする画像形成装置、
（Ａ01）回転移動する表面に沿って設定された潜像書込位置において静電潜像が形成される像担持体、
（Ａ02）前記像担持体表面に沿って設定された現像領域において前記静電潜像をトナー像に現像する現像装置、
（Ａ03）前記像担持体表面に沿って設定された１次転写領域を通って回転移動するとともに移動経路に沿って設定された２次転写領域を通過する中間転写体、
（Ａ04）前記１次転写領域において前記像担持体表面のトナー像を前記中間転写体に転写する１次転写器、
（Ａ03ａ）前記１次転写器から与えられた電荷によって帯電する高い体積抵抗率を有する前記中間転写体、
（Ａ05）前記中間転写体の移動経路に設定された２次転写領域に記録シートを搬送し通過させる記録シート搬送装置、
（Ａ06）前記２次転写領域において、前記中間転写体と記録シートとの間に２次転写電圧を印加することにより前記中間転写体上のトナー像を前記記録シートに転写する２次転写器、
（Ａ07）前記中間転写体の画像領域の前端よりも前側の領域である前側部分が前記１次転写領域を通過する際に１次転写器に一定の電流または電圧を印加する画像領域前側部分電圧印加手段、
（Ａ08）１次転写に連続して２次転写が行われる中間転写体回転時の前記１次転写時において、前記前側部分が１次転写領域を通過する際の１次転写器に印加される電圧または電流を測定して前記前側部分の帯電量を検出する画像領域前側部分帯電量検知手段、
（Ａ09）前記画像領域前側部分帯電量検知手段の検知信号に応じて２次転写電圧を決定する２次転写電圧決定手段。
【請求項２】
次の要件（Ａ010），（Ａ011）を備えたことを特徴とする請求項１記載の画像形成装置、
（Ａ010）前記中間転写体の移動経路に沿って２次転写領域の下流側で且つ前記１次転写領域の上流側に設定された除電領域に配置され、前記除電領域を通過する中間転写体に除電電圧を印加して中間転写体の帯電電荷を除電する除電器、
（Ａ011）前記画像領域前側部分帯電量検知手段の検知信号に応じて前記除電器に印加する除電電圧を決定する除電電圧決定手段。
【請求項３】
次の要件（Ａ012），（Ａ013）を備えたことを特徴とする請求項１または２記載の画像形成装置、
（Ａ012）前記潜像書込位置において異なる色の画像に対応する静電潜像が順次形成される前記像担持体、
（Ａ013）前記像担持体表面に沿って設定された現像領域において前記異なる色の静電潜像を前記各色に対応した色のトナー像にそれぞれ現像する複数の現像装置。
【請求項４】
次の要件（Ｂ01）〜（Ｂ09），（Ａ03ａ）を備えたことを特徴とする画像形成装置、
（Ｂ01）回転移動する表面に沿って設定された潜像書込位置において静電潜像が形成される複数の像担持体、
（Ｂ02）前記複数の各像担持体表面に沿ってそれぞれ設定された現像領域において前記各静電潜像をそれぞれトナー像に現像する各現像装置、
（Ｂ03）前記複数の各像担持体表面に沿ってそれぞれ設定された各１次転写領域を順次通過し、さらに続けて、２次転写領域を通過して回転移動する無端状の表面を有する中間転写体、
（Ｂ04）前記各１次転写領域において前記各像担持体表面のトナー像を前記中間転写体にそれぞれ転写する各１次転写器、
（Ａ03ａ）前記１次転写器から与えられた電荷によって帯電する高い体積抵抗率を有する前記中間転写体、
（Ｂ05）前記２次転写領域に記録シートを搬送し通過させる記録シート搬送装置、
（Ｂ06）前記２次転写領域において、前記中間転写体と記録シートとの間に２次転写電圧を印加することにより前記中間転写体上のトナー像を前記記録シートに転写する２次転写器、
（Ｂ07）前記中間転写体の画像領域の前端よりも前側の領域である前側部分が前記１次転写領域を通過する際に１次転写器に一定の電流または電圧を印加する画像領域前側部分電圧印加手段、
（Ｂ08）前記前側部分が前記順次通過する各１次転写領域の中の最後の１次転写領域を通過する際の１次転写器に印加される電圧または電流を測定して前記前側部分の帯電量を検出する画像領域前側部分帯電量検知手段、
（Ｂ09）前記画像領域前側部分帯電量検知手段の検知信号に応じて２次転写電圧を決定する２次転写電圧決定手段。
【請求項５】
次の要件（Ｂ010）、（Ｂ011）を備えたことを特徴とする請求項４記載の画像形成装置、
（Ｂ010）前記中間転写体の移動経路に沿って２次転写領域の下流側で且つ前記１次転写領域の上流側に設定された除電領域に配置され、前記除電領域を通過する中間転写体に除電電圧を印加して中間転写体の帯電電荷を除電する除電器、
（Ｂ011）前記画像領域前側部分帯電量検知手段の検知信号に応じて前記除電器に印加する除電電圧を決定する除電電圧決定手段。
【発明の詳細な説明】
【０００１】
【発明の属する技術分野】
本発明は、電子写真複写機やレーザープリンタ等の画像形成装置に係り、詳細には、中間転写体を介して感光体ドラム等の潜像担持体上に形成された未定着トナー像を用紙等の記録媒体に転写する画像形成装置の改良に関する。
【０００２】
【従来の技術】
従来、この種の画像形成装置としては、次の技術が知られている。
（Ｊ01）図１３に示す技術
図１３は、像担持体上に形成された未定着トナー像を、中間転写体を介して記録シートに転写する従来の画像形成装置の説明図である。図３で説明する中間転写体を使用した画像形成装置は、特公昭４９−２０９号公報、特開昭６２−２０６５６７号公報、特開平３−１９２２８２号公報等に所載されている。
図１３において、位置検出装置ＳＮ1は中間転写体０１の位置検出マークを検出し、その位置検出信号は画像形成装置Ｆの制御部（コントローラ）Ｃに入力される。画像形成装置Ｆの制御部（コントローラ）Ｃは、中間転写体０１の前記位置検出信号をもとに、像担持体０３に対して行われる画情報に応じた画像露光手段０４による露光タイミングを制御し、画像のズレを補正し且つ画像形成装置Ｆの動作を制御し、像担持体０３上にタイミングよく未定着トナー像を形成する。前記未定着トナー像は、中間転写体０１に１次転写され、改めてこの未定着トナー像は中間転写体０１から記録シートＳへ２次転写されるように構成されている。
【０００３】
特に図１３に示すように黒（Ｋ）、イエロー（Ｙ）、マゼンタ（Ｍ）及びシアン（Ｃ）の各色に対応した現像装置Ｇy〜Ｇkを備え、各色の未定着トナー像を重ね合わせてフルカラー画像を形成するカラー画像形成装置Ｆにあっては、中間転写体０１の位置検出装置ＳＮ1で検出した中間転写体０１の位置信号をもとに像担持体０３に対して行われる画像露光手段０４による露光タイミングの制御によって１次転写後の中間転写体０１上の合成像を記録シートＳへ一括転写するように構成されている。そして、１次転写後の像担持体０３上の残存トナーは次の画像形成サイクルの開始前に像担持体のクリーニング装置０６によってクリーニングされる。
【０００４】
前記中間転写体を使用しない従来のカラー画像形成装置であって、搬送ベルト等によって搬送される記録シートに対して感光体ドラム等の像担持体上に形成された各色の未定着トナー像の合成像を直接多重転写していたものでは、記録シートの厚みや表面特性また、像担持体に対する記録シートの搬送特性等の多くの要因によって、記録シート上に形成されるカラー画像の画質が左右されていた。
しかし、前述のように中間転写体を用いたカラー画像形成装置では既に中間転写体上に多重転写のなされた合成像を記録シートに一括転写しているので、前記の不安定な要因を排除することができ、多重転写時における画像の乱れや色むらの発生を効果的に防止することができるといった利点を有している。
【０００５】
そして、前記中間転写体を用いた従来の画像形成装置において、像担持体０３から中間転写体０１へ、あるいは中間転写体０１から記録シートＳへの未定着トナー像の転写は静電転写法により行われ、各転写位置において転写器０７、０８等により転写電圧を印加すると、未定着トナー像が像担持体０３から中間転写体０１へ転写され、あるいは中間転写体０１から記録シートＳへ転写される構成となっている。
【０００６】
【発明が解決しようとする課題】
しかし、前記従来の中間転写体を使用した画像形成装置においては、１次転写器が形成する電界によって像担持体から中間転写体上に未定着トナー像が転写された直後以下のような問題が発生する。
すなわち、体積抵抗率の低い中間転写体を用いた場合、像担持体上の未定着トナー像を中間転写体へ１次転写する際、コロナ放電器あるいはバイアスロールなどの１次転写器によって与えられた電荷が中間転写体自身の導電性により帯電電荷が除電されてしまい、像担持体から中間転写体へ転写された中間転写体上の未定着トナーの電荷を保持する静電的な力が働かなくなるため、トナー同士の静電的反発力や画像エッジ付近のフリンジ電界の力によって画像の周囲にトナーが飛散してしまい画像ノイズの大きいものとなってしまう。
【０００７】
特に多重色画像のように単位面積あたりのトナー量が多い像の周りではこの現象が顕著に現れカラー画像形成装置にとっては致命的な画質欠陥となってしまう。このような画像の周りにトナーが飛散する現象を防ぐ手段としては、特開平３−１９２２８２号公報にて開示されている内容のように中間転写体を構成する材料の体積抵抗率を上げることによって、１次転写器により与えられた電荷が中間転写体に蓄積されるため、その蓄積された電荷の静電的な力によって像担持体から中間転写体へ転写された未定着トナーの電荷を保持することができるため画像の周りにトナーが飛散する現象を防ぐことが知られている。
【０００８】
しかし、中間転写体の体積抵抗率を前記トナーの飛散現象が発生しない領域にまで増加させると、さらに、以下のような問題点が発生する。
すなわち、中間転写体の体積抵抗率を増加させた場合、１次転写器によって与えられた電荷により、中間転写体に電荷が蓄積されるため、中間転写体から記録媒体に一括転写する２次転写時には２次転写装置に印加した電圧に、更に中間転写体に蓄積された電荷によりもたらされた電圧が重畳されるため、本来必要であるべき２次転写電圧よりも過大な電圧が印加され、過剰電界による転写ムラなどの画質上の欠陥が発生する。
【０００９】
また、高電圧によって中間転写体が電気的ストレスを受けるため、中間転写体の寿命が短くなってしまう。更にこのような体積抵抗率が高いために帯電する中間転写体においては２次転写終了後に中間転写体に蓄積された電荷を除電しなければならないが、中間転写体に蓄積される電荷量は常に一定ではないために除電器に印加する電圧等の除電の条件を都度変更しなければ完全な除電ができなくなってしまう。
このような問題を解決する方法としては、従来次の技術（Ｊ02）が公知である。
（Ｊ02）特開平８−５４７８９号公報記載の技術
この公報には、中間転写体に蓄積された電荷量を電位計によって検出し、その値をもとに２次転写装置に印加する電圧を制御する手段が開示されている。
【００１０】
しかし、前記（Ｊ02）の技術では、以下の様な問題が発生することがわかった。すなわち、中間転写体に蓄積された電荷量を電位計によって検出する場合は、電位計のプローブ（測定端子）と中間転写体表面とのギャップを数ミリメートルの範囲に設定しなくては、中間転写体の表面電位を正確に検出することができないために、中間転写体の未定着トナーの静電的な力や浮遊トナー、浮遊塵などが電位計のプローブに付着してしまい、誤った電位の検出を行ってしまう。そのために２次転写の電圧も適正な電圧に設定できない。
【００１１】
本発明は、前記従来の問題点に鑑み、下記（Ｏ01）〜（Ｏ05）の記載内容を課題とする。
（Ｏ01）中間転写体の表面電位を表面電位計を用いずに検出すること。
（Ｏ02）過大転写電圧による画像の濃度ムラ、画質欠陥等が発生しないように適切な転写を行えるようにすること。
（Ｏ03）中間転写体に蓄積された帯電電荷をムラが発生しないように適切な除電を行えるようにすること。
（Ｏ04）高体積抵抗率の中間転写体を用いた装置を使用して多重色画像の周囲にトナーが飛散する現象を防ぎ高画質な画像を提供すること。
（Ｏ05）更に電気的ストレスによる中間転写体の劣化を防止して中間転写体の寿命を延命し保守容易度が高く信頼性の高い画像形成装置を提供すること。
【００１２】
【課題を解決するための手段】
次に、前記課題を解決した本発明を説明するが、本発明の要素には、後述の実施例の要素との対応を容易にするため、実施例の要素の符号をカッコで囲んだものを付記する。なお、本発明を後述の実施例の符号と対応させて説明する理由は、本発明の理解を容易にするためであり、本発明の範囲を実施例に限定するためではない。
【００１３】
（第１発明）
前記課題を解決するために、本出願の第１発明の画像形成装置は、次の要件（Ａ01）〜（Ａ09），（Ａ03ａ）を備えたことを特徴とする、
（Ａ01）回転移動する表面に沿って設定された潜像書込位置（Ｑ1）において静電潜像が形成される像担持体（１６）、
（Ａ02）前記像担持体（１６）表面に沿って設定された現像領域（Ｑ2）において前記静電潜像をトナー像に現像する現像装置（１８k，１８y，１８m，１８c）、
（Ａ03）前記像担持体（１６）表面に沿って設定された１次転写領域（Ｑ3）を通って回転移動するとともに移動経路に沿って設定された２次転写領域（Ｑ4）を通過する中間転写体（Ｂ，Ｄ）、
（Ａ04）前記１次転写領域（Ｑ3）において前記像担持体（１６）表面のトナー像を前記中間転写体（Ｂ，Ｄ）に転写する１次転写器（Ｔ1）、
（Ａ03ａ）前記１次転写器（Ｔ１）から与えられた電荷によって帯電する高い体積抵抗率を有する前記中間転写体（Ｂ，Ｄ）、
（Ａ05）前記中間転写体（Ｂ，Ｄ）の移動経路に設定された２次転写領域（Ｑ4）に記録シート（Ｓ）を搬送し通過させる記録シート搬送装置（４２〜４７）、
（Ａ06）前記２次転写領域（Ｑ4）において、前記中間転写体（Ｂ，Ｄ）と記録シート（Ｓ）との間に２次転写電圧を印加することにより前記中間転写体（Ｂ，Ｄ）上のトナー像を前記記録シート（Ｓ）に転写する２次転写器（Ｔ2）、
（Ａ07）前記中間転写体（Ｂ，Ｄ）の画像領域の前端よりも前側の領域である前側部分（Ｒ1）が前記１次転写領域（Ｑ3）を通過する際に１次転写器（Ｔ1）に一定の電流または電圧を印加する画像領域前側部分電圧印加手段（Ｃ2）、
（Ａ08）１次転写に連続して２次転写が行われる中間転写体（Ｂ，Ｄ）回転時の前記１次転写時において、前記前側部分（Ｒ1）が１次転写領域（Ｑ3）を通過する際の１次転写器（Ｔ1）に印加される電圧または電流を測定して前記前側部分（Ｒ1）の帯電量を検出する画像領域前側部分帯電量検知手段（Ｃ3）、
（Ａ09）前記画像領域前側部分帯電量検知手段（Ｃ3）の検知信号に応じて２次転写電圧を決定する２次転写電圧決定手段（Ｃ4）。
【００１４】
（第１発明の作用）
前記構成を備えた第１発明の画像形成装置では、像担持体（１６）の回転移動する表面には、潜像書込位置（Ｑ1）において静電潜像が形成される。現像装置（１８k，１８y，１８m，１８c）は、前記像担持体（１６）表面に沿って設定された現像領域（Ｑ2）において前記静電潜像をトナー像に現像する。中間転写体（Ｂ，Ｄ）は、前記像担持体（１６）表面に沿って設定された１次転写領域（Ｑ3）を通って回転移動するとともに移動経路に沿って設定された２次転写領域（Ｑ4）を通過する。１次転写器（Ｔ1）は、前記１次転写領域（Ｑ3）において前記像担持体（１６）表面のトナー像を前記中間転写体（Ｂ，Ｄ）に転写する。前記中間転写体（Ｂ，Ｄ）は、前記１次転写器（Ｔ１）から与えられた電荷によって帯電する高い体積抵抗率を有する。記録シート搬送装置（４２〜４７）は、前記中間転写体（Ｂ，Ｄ）の移動経路に設定された２次転写領域（Ｑ4）に記録シート（Ｓ）を搬送し通過させる。
【００１５】
画像領域前側部分電圧印加手段（Ｃ2）は、前記中間転写体（Ｂ，Ｄ）の画像領域の前端よりも前側の領域である前側部分（Ｒ1）が前記１次転写領域（Ｑ3）を通過する際に１次転写器（Ｔ1）に一定の電流または電圧を印加する。前記中間転写体（Ｂ，Ｄ）は、前記１次転写器（Ｔ１）から与えられた電荷によって帯電する高い体積抵抗率を有するので、中間転写体（Ｂ，Ｄ）の前記前側部分にかかわる電圧または電流の値を計測することによってそのときの中間転写体（Ｂ，Ｄ）の帯電量を知ることができる。これにより、１次転写に連続して２次転写が行われる中間転写体（Ｂ，Ｄ）回転時の前記１次転写時において、画像領域前側部分帯電量検知手段（Ｃ3）は、前記前側部分（Ｒ1）が１次転写領域（Ｑ3）を通過する際の１次転写器（Ｔ1）に印加される電圧または電流を測定して前記前側部分（Ｒ1）の帯電量を検出する。
２次転写電圧決定手段（Ｃ4）は、前記画像領域前側部分帯電量検知手段（Ｃ3）の検知信号に応じて２次転写電圧を決定する。前記２次転写領域（Ｑ4）において、２次転写器（Ｔ2）は、前記中間転写体（Ｂ，Ｄ）と記録シート（Ｓ）との間に前記２次転写電圧決定手段（Ｃ4）により決定された２次転写電圧を印加することにより前記中間転写体（Ｂ，Ｄ）上のトナー像を前記記録シート（Ｓ）に転写する。
前述のように、画像領域前側部分帯電量検知手段（Ｃ3）により検知された中間転写体（Ｂ，Ｄ）の帯電量に応じて２次転写電圧を決定するので、適切な２次転写電圧により２次転写を行うことができる。
【００１６】
また、中間転写体（Ｂ，Ｄ）の表面電位量の検出を従来から用いられてきた表面電位計によって行われる表面電位計測方法で行った場合の大きな問題である、表面電位計の汚れ等による誤検出が発生しないために、２次転写に必要な転写電圧を正確に決定できるため２次転写に必要な正規の電界が形成されるため高画質の画像を得ることが可能となる。
また、中間転写体（Ｂ，Ｄ）の表面電位量が正確に検出できるため、２次転写終了後の中間転写体（Ｂ，Ｄ）の残留電荷の除去のための除電装置の条件を正確に決定することができる。
【００１７】
前述の新たなる手段によって、高体積抵抗率の中間転写体（Ｂ，Ｄ）を用いた画像形成装置の構成が可能になるため、そのことによって単位面積あたりのトナー重量が大きい像の周りで顕著に発生するトナー飛散現象も防止することができ、画像形成装置内部の汚れが少なくなり、保守容易度を高めるといった利点がある。
また、適正な２次転写電圧を印加することによって高転写効率が実現され、２次転写終了後の中間転写体（Ｂ，Ｄ）上の残存トナーが極低量となるため、中間転写体（Ｂ，Ｄ）のクリーニングを容易におこなうことができ、クリーニング部材の高寿命化を図ることが可能となる。
さらに、中間転写体（Ｂ，Ｄ）を適正な電圧条件で除電することが可能になるため、除電ムラによって誘発される画像の濃度ムラの発生を防ぐことができるとともに、中間転写体（Ｂ，Ｄ）に対する電気的なストレスが少なく中間転写体（Ｂ，Ｄ）を高寿命にすることができるため、信頼性の高い画像形成装置を提供することができる。
【００１８】
（第２発明）
本出願の第２発明の画像形成装置は、次の要件（Ｂ01）〜（Ｂ09），（Ａ03ａ）を備えたことを特徴とする。
（Ｂ01）回転移動する表面に沿って設定された潜像書込位置（Ｑ1k，Ｑ1y，Ｑ1m，Ｑ1c）において静電潜像が形成される複数の像担持体（１６k，１６y，１６m，１６c）、
（Ｂ02）前記複数の各像担持体（１６k，１６y，１６m，１６c）表面に沿ってそれぞれ設定された現像領域（Ｑ2k，Ｑ2y，Ｑ2m，Ｑ2c）において前記各静電潜像をそれぞれトナー像に現像する各現像装置（１８k，１８y，１８m，１８c）、
（Ｂ03）前記複数の各像担持体（１６k，１６y，１６m，１６c）表面に沿ってそれぞれ設定された各１次転写領域（Ｑ3k，Ｑ3y，Ｑ3m，Ｑ3c）を順次通過し、さらに続けて、２次転写領域（Ｑ4k，Ｑ4y，Ｑ4m，Ｑ4c）を通過して回転移動する無端状の表面を有する中間転写体（Ｂ）、
（Ｂ04）前記各１次転写領域（Ｑ3k，Ｑ3y，Ｑ3m，Ｑ3c）において前記各像担持体（１６k，１６y，１６m，１６c）表面のトナー像を前記中間転写体（Ｂ）にそれぞれ転写する各１次転写器（Ｔ1k，Ｔ1y，Ｔ1m，Ｔ1c）、
（Ａ03ａ）前記１次転写器（Ｔ１）から与えられた電荷によって帯電する高い体積抵抗率を有する前記中間転写体（Ｂ，Ｄ）、
（Ｂ05）前記２次転写領域（Ｑ4k，Ｑ4y，Ｑ4m，Ｑ4c）に記録シート（Ｓ）を搬送し通過させる記録シート搬送装置（４２〜４７）、
（Ｂ06）前記２次転写領域（Ｑ4k，Ｑ4y，Ｑ4m，Ｑ4c）において、前記中間転写体（Ｂ）と記録シート（Ｓ）との間に２次転写電圧を印加することにより前記中間転写体（Ｂ）上のトナー像を前記記録シート（Ｓ）に転写する２次転写器（Ｔ2）、
（Ｂ07）前記中間転写体（Ｂ）の画像領域の前端よりも前側の領域である前側部分（Ｒ1）が前記１次転写領域（Ｑ3k，Ｑ3y，Ｑ3m，Ｑ3c）を通過する際に１次転写器（Ｔ1k，Ｔ1y，Ｔ1m，Ｔ1c）に一定の電流または電圧を印加する画像領域前側部分電圧印加手段（Ｃ2）、
（Ｂ08）前記前側部分（Ｒ1）が前記順次通過する各１次転写領域（Ｑ3k，Ｑ3y，Ｑ3m，Ｑ3c）の中の最後の１次転写領域（Ｑ3c）を通過する際の１次転写器（Ｔ1k，Ｔ1y，Ｔ1m，Ｔ1c）に印加される電圧または電流を測定して前記前側部分（Ｒ1）の帯電量を検出する画像領域前側部分帯電量検知手段（Ｃ3）、
（Ｂ09）前記画像領域前側部分帯電量検知手段（Ｃ3）の検知信号に応じて２次転写電圧を決定する２次転写電圧決定手段（Ｃ4）。
【００１９】
（第２発明の作用）
前記構成を備えた第２発明の画像形成装置では、複数の像担持体（１６k，１６y，１６m，１６c）は、回転移動する表面に沿って設定された各潜像書込位置（Ｑ1k，Ｑ1y，Ｑ1m，Ｑ1c）においてそれぞれ静電潜像が形成される。前記複数の各像担持体（１６k，１６y，１６m，１６c）表面に沿ってそれぞれ設定された現像領域（Ｑ2k，Ｑ2y，Ｑ2m，Ｑ2c）において各現像装置（１８k，１８y，１８m，１８c）は、前記各静電潜像をそれぞれトナー像に現像する。
無端状の表面を有する中間転写体（Ｂ）は、前記複数の各像担持体（１６k，１６y，１６m，１６c）表面に沿ってそれぞれ設定された各１次転写領域（Ｑ3k，Ｑ3y，Ｑ3m，Ｑ3c）を順次通過し、さらに続けて、２次転写領域（Ｑ4k，Ｑ4y，Ｑ4m，Ｑ4c）を通過して回転移動する。前記各１次転写領域（Ｑ3k，Ｑ3y，Ｑ3m，Ｑ3c）において各１次転写器（Ｔ1k，Ｔ1y，Ｔ1m，Ｔ1c）は、前記各像担持体（１６k，１６y，１６m，１６c）表面のトナー像を前記中間転写体（Ｂ）にそれぞれ転写する。前記中間転写体（Ｂ）は、前記１次転写器（Ｔ１）から与えられた電荷によって帯電する高い体積抵抗率を有する。記録シート搬送装置（４２〜４７）は、前記２次転写領域（Ｑ4k，Ｑ4y，Ｑ4m，Ｑ4c）に記録シート（Ｓ）を搬送し通過させる。
【００２０】
画像領域前側部分電圧印加手段（Ｃ2）は、前記中間転写体（Ｂ）の画像領域の前端よりも前側の領域である前側部分（Ｒ1）が前記１次転写領域（Ｑ3k，Ｑ3y，Ｑ3m，Ｑ3c）を通過する際に１次転写器（Ｔ1k，Ｔ1y，Ｔ1m，Ｔ1c）に一定の電流または電圧を印加する。前記中間転写体（Ｂ，Ｄ）は、前記１次転写器（Ｔ１）から与えられた電荷によって帯電する高い体積抵抗率を有するので、中間転写体（Ｂ，Ｄ）の前記前側部分にかかわる電圧または電流の値を計測することによってそのときの中間転写体（Ｂ，Ｄ）の帯電量を知ることができる。これにより、画像領域前側部分帯電量検知手段（Ｃ3）は、前記前側部分（Ｒ1）が順次通過する各１次転写領域（Ｑ3k，Ｑ3y，Ｑ3m，Ｑ3c）の中の最後の１次転写領域（Ｑ3c）を通過する際の１次転写器（Ｔ1c）に印加される電圧または電流を測定して前記前側部分（Ｒ1）の帯電量を検出する。２次転写電圧決定手段（Ｃ4）は、前記画像領域前側部分帯電量検知手段（Ｃ3）の検知信号に応じて２次転写電圧を決定する。
２次転写器（Ｔ2）は、前記中間転写体（Ｂ）と記録シート（Ｓ）との間に前記２次転写電圧決定手段（Ｃ4）により決定された２次転写電圧を印加することにより前記中間転写体（Ｂ）上のトナー像を前記記録シート（Ｓ）に転写する。
前述のように、画像領域前側部分帯電量検知手段（Ｃ3）により検知された中間転写体（Ｂ）の帯電量に応じて２次転写電圧を決定するので、適切な２次転写電圧により２次転写を行うことができる。
【００２１】
【発明の実施の形態】
（第１発明の実施の形態１）
第１発明の実施の形態１の画像形成装置は、前記第１発明において次の要件（Ａ010），（Ａ011）を備えたことを特徴とする。
（Ａ010）前記中間転写体（Ｂ，Ｄ）の移動経路に沿って２次転写領域（Ｑ4）の下流側で且つ前記１次転写領域（Ｑ3）の上流側に設定された除電領域（Ｑ5）に配置され、前記除電領域（Ｑ5）を通過する中間転写体（Ｂ，Ｄ）に除電電圧を印加して中間転写体（Ｂ，Ｄ）の帯電電荷を除電する除電器（３６）、
（Ａ011）前記画像領域前側部分帯電量検知手段（Ｃ3）の検知信号に応じて前記除電器（３６）に印加する除電電圧を決定する除電電圧決定手段（Ｃ5）。
【００２２】
（第１発明の実施の形態１の作用）
第１発明の実施の形態１の画像形成装置では、除電電圧決定手段（Ｃ5）は、前記画像領域前側部分帯電量検知手段（Ｃ3）の検知信号に応じて前記除電器（３６）に印加する除電電圧を決定する。このため、適切な除電電圧を決定することができる。前記中間転写体（Ｂ，Ｄ）の移動経路に沿って２次転写領域（Ｑ4）の下流側で且つ前記１次転写領域（Ｑ3）の上流側に設定された除電領域（Ｑ5）に配置された除電器（３６）は、前記除電領域（Ｑ5）を通過する中間転写体（Ｂ，Ｄ）に、前記除電電圧決定手段（Ｃ5）が決定した除電電圧を印加して中間転写体（Ｂ，Ｄ）の帯電電荷を除電する。
【００２３】
（第１発明の実施の形態２）
第１発明の実施の形態２の画像形成装置は、前記第１発明または第１発明の実施の形態１において次の要件（Ａ012），（Ａ013）を備えたことを特徴とする。
（Ａ012）前記潜像書込位置（Ｑ1）において異なる色の画像に対応する静電潜像が順次形成される前記像担持体（１６）、
（Ａ013）前記像担持体（１６）表面に沿って設定された現像領域（Ｑ2）において前記異なる色の静電潜像を前記各色に対応した色のトナー像にそれぞれ現像する複数の現像装置（１８k，１８y，１８m，１８c）。
【００２４】
（第１発明の実施の形態２の作用）
前記構成を備えた第１発明の実施の形態２の画像形成装置では、前記像担持体（１６）は、前記潜像書込位置（Ｑ1）において異なる色の画像に対応する静電潜像が順次形成される。複数の現像装置（１８k，１８y，１８m，１８c）は、前記像担持体（１６）に順次形成される異なる色の静電潜像を、前記像担持体（１６）表面に沿って設定された現像領域（Ｑ2）において、前記各色に対応した色のトナー像にそれぞれ現像する。
【００２５】
（第２発明の実施の形態１）
第２発明の実施の形態１の画像形成装置は、前記第２発明において次の要件（Ｂ010），（Ｂ011）を備えたことを特徴とする。
（Ｂ010）前記中間転写体（Ｂ）の移動経路に沿って２次転写領域（Ｑ4k，Ｑ4y，Ｑ4m，Ｑ4c）の下流側で且つ前記１次転写領域（Ｑ3k，Ｑ3y，Ｑ3m，Ｑ3c）の上流側に設定された除電領域（Ｑ5）に配置され、前記除電領域（Ｑ5）を通過する中間転写体（Ｂ）に除電電圧を印加して中間転写体（Ｂ）の帯電電荷を除電する除電器（３６）、
（Ｂ011）前記画像領域前側部分帯電量検知手段（Ｃ3）の検知信号に応じて前記除電器（３６）に印加する除電電圧を決定する除電電圧決定手段（Ｃ5）。
【００２６】
（第２発明の実施の形態１の作用）
前記構成を備えた第２発明の実施の形態１の画像形成装置では、除電電圧決定手段（Ｃ5）は、前記画像領域前側部分帯電量検知手段（Ｃ3）の検知信号に応じて前記除電器（３６）に印加する除電電圧を決定する。このため、適切な除電電圧を決定することができる。前記中間転写体（Ｂ）の移動経路に沿って２次転写領域（Ｑ4k，Ｑ4y，Ｑ4m，Ｑ4c）の下流側で且つ前記１次転写領域（Ｑ3k，Ｑ3y，Ｑ3m，Ｑ3c）の上流側に設定された除電領域（Ｑ5）に配置された除電器（３６）は、前記除電領域（Ｑ5）を通過する中間転写体（Ｂ）に前記適切な除電電圧を印加して中間転写体（Ｂ）の帯電電荷を除電する。
【００２７】
【実施例】
次に図面を参照しながら、本発明の実施の形態の具体例（実施例）を説明するが、本発明は以下の実施例に限定されるものではない。
（実施例１）
図１は本発明の画像形成装置の実施例１の説明図である。図２は前記図１の要部拡大図である。
図１において、画像形成装置Ｆは、画像形成装置Ｆは、ＵＩ（ユーザインタフェース）と、原稿（図示せず）を載置する透明なプラテンガラス２とを有している。前記ＵＩは図３に示すように、コピースタートキーＵＩa、フルカラーモード選択キーＵＩb、テンキーＵＩc、表示器ＵＩd等を有している。
【００２８】
前記プラテンガラス２上に置かれた原稿は原稿照明ユニット３の光源４により照明される。原稿反射光は、原稿照明ユニット３の第１ミラー５およびミラーユニット６の第２ミラー７および第３ミラー８で反射し、結像レンズ９を通って、ＣＣＤによりＲ，Ｇ，Ｂのアナログ信号として読み取られる。
ＣＣＤの読取画像信号は、コントローラＣにより制御されるＩＰＳに入力される。ＩＰＳの画像読取データ出力手段１１は、入力された読取画像信号をＡＤ変換し、画像データ出力手段１２は、画像メモリ１３を有し前記ＡＤ変換されたデータをＹ，Ｍ，Ｃ，Ｋの画像データに変換して濃度補正、拡大縮小補正等のデータ処理を施し、書込用画像データ（レーザ駆動データ）として出力する。
【００２９】
レーザ駆動信号出力装置１４は、前記ＩＰＳから出力された画像データに応じた画像のレーザ駆動信号を所定のタイミングで、ＲＯＳ（光走査装置、すなわち、潜像形成装置）に出力する。前記ＲＯＳは、前記レーザ駆動信号により変調されたレーザビームＬを出力する。
回転移動する像担持体１６は帯電器１７により帯電された後に前記潜像書込位置Ｑ1において、前記レーザビームＬにより静電潜像が書き込まれ、前記静電潜像は現像領域Ｑ2において回転軸１８aと共に回転するＫ（黒）、Ｙ（イエロー）、Ｍ（マゼンタ）、Ｃ（シアン）の各色の現像装置１８k〜１８cを有するロータリ式の現像ユニット１８によりトナー像に現像される。現像されたトナー像は１次転写領域Ｑ3において１次転写ロール（１次転写器）Ｔ1により中間転写ベルトＢに１次転写される。
前記１次転写領域Ｑ3を通過した像担持体１６表面は像担持体クリーナ２０により残留トナーが除去される。
【００３０】
（中間転写ベルトＢ）
前記中間転写ベルトＢはカーボンブラックを分散した熱硬化性シームレスベルトは、カーボンブラックを宇部興産（株）耐熱皮膜用ポリイミドワニスＵワニスＳにミキサーなどにより混合する。この原液を円筒型に注入して加熱しつつ遠心成形する。半硬化した状態で脱型し、その後、脱型したベルトを鉄芯に被せて４５０゜Ｃに加熱して、本硬化（イミド化反応）して、表面抵抗率１０13.5Ω／□、体積抵抗率１０13.0Ωｃｍの厚さ８０μｍのシームレスベルトを得る。
前記中間転写ベルトＢは駆動ロール２６、テンションロール２７、アイドラロール２８および内側２次転写ロール（バックアップロール）２９を含むベルト支持ロール２６〜２９により回転可能に支持されている。
【００３１】
（２次転写器Ｔ2）
前記内側２次転写ロール２９およびこの内側２次転写ロール２９から離れた離隔位置および押圧される近接位置の間で離接可能（離隔および接近可能）に配置された外側２次転写ロール３０により２次転写器Ｔ2が構成される。
なお、前記外側２次転写ロール３０は導電性の金属ロールに半導電性の弾性体を巻き付けて構成されており、例えばその体積抵抗率は１０5Ω・ｃｍに調整されていて、剥離爪３４及びベルトクリーナ３５は中間転写ベルトＢと接離（接触または離隔）自在に配設されており、カラー画像が形成される場合には、最終色の未定着トナー像が中間転写ベルトＢに１次転写される迄、これら部材は中間転写ベルトＢから離間している。
【００３２】
一方中間転写ベルトＢの支持ロールであり且つ外側２次転写ロール３０の対向電極をなす内側２次転写ロール（バックアップロール）２９は接地され、その表面を半導電性または絶縁性の薄層フィルムで被服し、例えばその体積抵抗率は１０8Ω・ｃｍ以上に調整されている。
前記２次転写器Ｔ2は、前記外側２次転写ロール３０および前記中間転写ベルトＢのニップ（接触領域）により形成される２次転写領域Ｑ4を通過する記録シートＳに、前記中間転写ベルトＢ上に重ねて１次転写されたトナー像を２次転写する。
前記１次転写器ロール（１次転写器）Ｔ1および２次転写器Ｔ2の印加電圧は電源回路３２（図２参照）の１次転写電源回路３２aおよび２次転写電源回路３２bから供給される。
前記外側２次転写ロール３０は前記離隔位置に移動したとき２次転写ロールクリーナ３３により表面付着トナーが回収される。また、前記中間転写ベルトＢの表面に沿って、前記２次転写領域Ｑ4の下流側には剥離爪３４およびベルトクリーナ３５が配置されている。
【００３３】
（除電ロール３６）
前記駆動ロール２６は導電性で接地されており、中間転写ベルトＢを挟んでその対向位置に除電ロール３６が配設されている。前記除電ロール３６および駆動ロール２６の間には除電領域Ｑ5が形成される。
除電ロール３６は、導電性の金属ロールに半導電性の弾性体を巻き付けて構成されており、例えば、その体積抵抗率は１０6Ω・ｃｍに調整されており、当実施例ではＥＰＤＭの弾性層表面にＰＴＦＥ（ポリフッ化エチレン）をコートしたものを用いている。
前記除電ロール３６に印加される除電電圧は電源回路３２（図２参照）の除電電源回路３２cから供給される。
【００３４】
なお、前記中間転写体ベルトＢの表面抵抗率、体積抵抗率および除電ロール３６の体積抵抗率の計測は、三菱油化製ハイレスターＩＰのＨＲプローブを用い、電圧５００Ｖ印加し、３０秒後または１０秒後の電流値より求めた。
【００３５】
また、前記中間転写ベルトＢの位置検出用のマークＭＫ（図２参照）を検出するためのベルト位置センサＳＮ1が設けられている。本実施例１では前記マークＭＫはベルトのトナー像を転写する画像領域の前端に形成されており、前記中間転写ベルトＢのマークＭＫより前側の領域部Ｒ1（図２参照）を画像領域前側部分Ｒ1と名付けて説明する。
ベルト位置センサＳＮ1から出力される非常に精度の高い中間転写ベルトＢの位置検出信号によって、像担持体１６に対する潜像書込タイミングの制御が行われる。
給紙トレイ４１に収容された記録シートＳは、ピックアップロール４２により取り出され、さばきロール４３で１枚づつ分離され、レジロール４４で一旦停止されて、所定のタイミングでガイド搬送路４５から前記２次転写領域Ｑ4に搬送される。２次転写領域Ｑ4通過時にトナー像が２次転写された記録シートＳはシートガイド４６、シート搬送ベルト４７により定着領域Ｑ6に搬送される。前記定着領域Ｑ6を通過する際に前記記録シートＳ上の２次転写トナー像は、定着装置４８の一対の定着ロールによって定着され、排紙トレイ４９に排出される。
前記符号４１〜４７で示された要素により記録シート搬送装置（４２〜４７）が構成されている。
【００３６】
（実施例１の制御部の説明）
図３は前記実施例１の制御部のブロック線図である。
前記コントローラＣには、ＵＩ（ユーザインタフェース）が接続されており、ＵＩは、ジョブスタートスイッチ（コピースタートスイッチ）ＵＩa、ソートモード設定スイッチＵＩb、記録部数設定スイッチＵＩc、テンキーＵＩd、表示部ＵＩe等を有している。
前記コントローラＣには次のセンサの検出信号が入力されている。
ＳＮ1：ベルト位置センサ
ベルト位置センサＳＮ1（図１、図３参照）は中間転写ベルトＢに付けたマーク（目印）を検出し、検出信号を前記コントローラＣに出力する。
前記コントローラＣには、排紙センサＳＮ2、定着装置温度センサＳＮt、その他のセンサの検出信号が入力される。
【００３７】
前記ＵＩ（ユーザインタフェース）、前記各種センサからの信号が入力される前記コントローラＣは、前記ＩＰＳの作動タイミング制御信号、レーザ駆動信号出力装置１４の作動タイミング制御信号、中間転写ベルトＢを回転駆動するためのモータＭを駆動するモータ駆動回路Ｄ、電源回路３２の１次転写用電源回路３２a、２次転写用電源回路３２b、ベルト除電用電源回路３２c等の作動信号を出力している。
【００３８】
前記種々の入力信号に応じた処理を実行する前記コントローラＣは、外部との信号の入出力および入出力信号レベルの調節等を行うＩ／Ｏ（入出力インタフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、ならびに、前記ＲＯＭに記憶されたプログラムに応じた入出力制御および演算処理等を行うＣＰＵ（中央演算処理装置）等を有するコンピュータにより構成されており、前記ＲＯＭに記憶されたプログラムを実行することにより種々の機能を実現することができる。
すなわち、コントローラＣは次の機能を有している。
【００３９】
Ｃ1：書込タイミング通知信号出力手段
書込タイミング通知信号出力手段Ｃ1は、前記ベルト位置センサＳＮ1のベルトマーク検出信号に基づいて、書込タイミング通知信号を前記ＩＰＳおよびレーザ駆動信号出力装置１４に出力している。
すなわち、前記ベルト位置センサＳＮ1がベルトマークを検出してから所定時間後に、中間転写ベルトＢ上のトナー像転写開始位置が前記１次転写領域Ｑ3に到達するので、それにタイミングを合わせて像担持体１６上に形成されるトナー像の前端を前記１次転写位置Ｑ3に到達させる必要がある。そのためには、所定のタイミングで前記ＲＯＳによる潜像書込位置Ｑ1への画像書込を開始する必要がある。このために、書込タイミング通知信号出力手段Ｃ1は、前記書込タイミング通知信号を出力しているのである。
なお、前記ＩＰＳおよびレーザ駆動信号出力装置１４は前記書込タイミング通知信号が出力されてから所定のタイミングでレーザ駆動信号出力装置１４からレーザ駆動信号をＲＯＳに出力する。
【００４０】
Ｃ2：画像領域前側部分電圧印加手段
画像領域前側部分電圧印加手段Ｃ2は、１次転写領域Ｑ3を中間転写ベルトＢの画像形成領域の前側部分Ｒ1が通過する際に１次転写器Ｔ1に一定の電流または電圧を印加する。
Ｃ3：画像領域前側部分帯電量検知手段
画像領域前側部分帯電量検知手段Ｃ3は、最終色１次転写時において１次転写領域Ｑ3を中間転写ベルトＢの画像形成領域の前側部分Ｒ1が通過する際の１次転写器Ｔ1に印加される電圧または電流を測定（定電流転写の場合は電圧を測定、定電圧転写の場合は電流を測定）して、そのときの前側部分Ｒ1の帯電量を検出する。
【００４１】
Ｍi：１次転写電流値記憶メモリ
１次転写電流値記憶メモリＭiは、最終色の１次転写時の１次転写電流の値Ｉを記憶するメモリである。
Ｍe：１次転写電圧値記憶メモリ
１次転写電圧値記憶メモリＭeは、最終色の１次転写時の１次転写電圧の値Ｅを記憶するメモリである。
【００４２】
Ｃ4：２次転写電圧決定手段
２次転写電圧決定手段Ｃ4は、前記画像領域前側部分帯電量検知手段Ｃ3が検出した前記前側部分Ｒ1の帯電量に応じて２次転写装置の転写電圧を決定する。
例えば、図４において１次転写を定電流転写した場合に、最終色の１次転写時の前記前側部分Ｒ1の１次転写電圧が４ｋＶの場合、中間転写ベルトＢの前側部分Ｒ1の表面電位は４ｋＶである。
図５において、中間転写ベルトＢの前記前側部分Ｒ1の表面電位が４ｋＶの場合には２次転写重畳電圧は１.３ｋＶである。すなわち、中間転写ベルトＢの裏面の帯電電位が４ｋＶの場合、２次転写領域Ｑ4において、前記帯電電荷はアースされている前記内側２次転写ロール２９に流れるが、このとき、前記前側部分Ｒ1と内側２次転写ロール２９の心材との間に１.３ｋＶの電圧が生じる。
したがって、２次転写電圧決定手段Ｃ4は、その時設定されている２次転写電圧から、前記１.３ｋＶを減算した値の２次転写電圧を印加する。
【００４３】
Ｃ5：除電電圧決定手段
除電電圧決定手段Ｃ5は、前記画像領域前側部分帯電量検知手段Ｃ3が検出した前記前側部分Ｒ1の帯電量（表面電位）に応じて除電ロール３６の除電電圧を決定する。
すなわち、除電電圧決定手段Ｃ5は、前記前側部分Ｒ1の帯電量（表面電位）と前記帯電量に応じて定まる適切な除電電圧とを記憶した帯電量・除電電圧対応テーブルＣ5mを持っており、前記帯電量・除電電圧対応テーブルＣ5mのデータを使用して除電電圧を決定する。
【００４４】
（実施例１の作用）
前記構成を備えた画像形成装置の実施例１では、コントローラＣの書込タイミング通知信号出力手段Ｃ1は、前記ベルト位置センサＳＮ1のベルトマーク検出信号に基づいて、書込タイミング通知信号を前記ＩＰＳおよびレーザ駆動信号出力装置１４に出力している。
すなわち、前記ベルト位置センサＳＮ1がベルトマークを検出してから所定時間後に、中間転写ベルトＢ上のトナー像転写開始位置が前記１次転写領域Ｑ3に到達するので、それにタイミングを合わせて像担持体１６上に形成されるトナー像の前端を前記１次転写位置Ｑ3に到達させる必要がある。そのためには、所定のタイミングで前記ＲＯＳによる潜像書込位置Ｑ1への画像書込を開始する必要がある。このために、書込タイミング通知信号出力手段Ｃ1は、前記書込タイミング通知信号を出力しているのである。
【００４５】
前記ＩＰＳおよびレーザ駆動信号出力装置１４は前記書込タイミング通知信号が出力されてから所定のタイミングでレーザ駆動信号出力装置１４からレーザ駆動信号をＲＯＳに出力する。
前記レーザ駆動信号により作動するＲＯＳは、像担持体１６上に所定のタイミング（各色のトナー像が中間転写ベルトＢ上の画像領域に重なって転写されるタイミング）で静電潜像を書き込む。前記像担持体１６上に形成される各色の静電潜像はロータリ式の現像ユニット１８のＫ（黒）、Ｙ（イエロー）、Ｍ（マゼンタ）、Ｃ（シアン）の各色の現像装置１８ｋ〜１８cにより順次トナー像に現像される。
【００４６】
前記像担持体１６に順次形成される未定着トナー像Ｔ（図１、図２参照）は、像担持体１６と前記中間転写ベルトＢとが順次接する１次転写領域Ｑ3において、像担持体１６から中間転写ベルトＢの表面に順次重ねて転写される。
前記１次転写領域Ｑ3において、中間転写ベルトＢの裏面側に配設された１次転写器Ｔ1にトナーの帯電極性と逆極性の電圧を印加すると１次転写器Ｔ1と像担持体１６との間に電界が形成されるため、像担持体１６上の未定着トナー像Ｔは中間転写ベルトＢに静電吸引される。
【００４７】
前記コントローラＣの画像領域前側部分Ｒ1電圧印加手段Ｃ2は、１次転写器Ｔ1への電流または電圧の印加開始点を画像領域が１次転写領域（１次転写のニップ領域）Ｑ3に突入する手前から設定することによって、画像領域の前側部分Ｒ1が１次転写領域Ｑ3を通過する際、１次転写器Ｔ1に定電圧または定電流を印加する。
この時、中間転写ベルトＢの体積抵抗率が低い場合は前述したように１次転写器Ｔ1から電荷が与えられても自己放電によって瞬時に電気的に中和されるため、中間転写ベルトＢに電位差は発生せず、そのため１次転写器Ｔ1に印加される電圧または電流の値は一色目の転写サイクルとそれ以降の転写サイクルとが同一の値となる。
【００４８】
しかし、中間転写ベルトＢの体積抵抗率が高い場合は１次転写器Ｔ1から与えられた電荷によって中間転写ベルトＢが帯電し、それによって電位差が派生するため一色目の転写サイクルで１次転写器Ｔ1に印加される電圧または電流の値と例えば４色目に印加される電圧または電流の値とでは差が発生する。
したがって、最終色転写時の画像領域の前側部分Ｒ1にかかわる電圧または電流の値を計測することによってそのときの中間転写ベルトＢの帯電量を知ることが可能である。したがって、前記コントローラＣの画像領域前側部分Ｒ1帯電量検知手段Ｃ3は中間転写ベルトＢの画像領域前側部分Ｒ1の帯電量を検知する。
また、前記コントローラＣの２次転写電圧決定手段Ｃ4は、前記中間転写ベルトＢの帯電量の値から２次転写時に中間転写ベルトＢから重畳される電圧を考慮して２次転写電圧を決定する。
【００４９】
たとえば、中間転写ベルトＢが体積抵抗率を１０13.0Ωｃｍなる構成の場合、中間転写ベルトＢの画像形成領域の前側部分Ｒ1が通過する際に、１次転写器Ｔ1に２０μＡの一定電流を通電して転写サイクルを行った際、１色目の転写サイクルでは１次転写器Ｔ1への印加電圧が１.８ｋＶであるが、４色目の転写サイクルでは２.８ｋＶまで上昇することが確認できる。
図４は１次転写装置で定電流転写を行ったときの１次転写装置の印加電圧（ｋＶ）と中間転写ベルトＢの帯電による表面電位（−ｋＶ）との関係を示すグラフである。
４色目の転写サイクル時の印加電圧２.８ｋＶを計測することによって、その時点での中間転写ベルトＢの表面電位（帯電電位）（２.８ｋＶ）を知ることが可能である。
【００５０】
図５は中間転写ベルトＢの表面電位（−ｋＶ）と、前記表面電位（−ｋＶ）により、２次転写時に２次転写器の２次転写電圧に重畳される電圧（２次転写重畳電圧）との関係を示すグラフである。
前記図５のグラフに示すような中間転写ベルト表面電位と２次転写重畳電圧との関係を実験等により予め求めておくことにより、２次転写時に表面電位が−２.８ｋＶの中間転写ベルトＢから重畳される電圧１.０ｋＶ（図５参照）を知ることが可能となる。
１次転写後の像担持体１６上の残存トナーは次のサイクルの前に、像担持体１６の像担持体クリーナ２０によってクリーニングされる。
【００５１】
単色画像を形成する場合は、中間転写ベルトＢに１次転写された未定着トナー像Ｔを直ちに記録シートＳに２次転写するのであるが、複数色のトナー像を重ね合わせたカラー画像を形成する場合には、像担持体１６上でのトナー像の形成並びにこのトナー像の１次転写の行程が色数分だけ繰り返される。
例えば、４色のトナー像を重ね合わせたフルカラー画像を形成する場合、像担持体１６上にはその一回転毎にブラック、イエロー、マゼンタ及びシアンの未定着トナー像Ｔが形成され、これら未定着トナー像Ｔは順次中間転写ベルトＢに１次転写される。
一方、中間転写ベルトＢは最初に１次転写されたブラックの未定着トナー像Ｔを保持したまま像担持体１６と同一周期で回動し、中間転写ベルトＢ上にはその一回転毎にイエロー、マゼンタ及びシアンの未定着トナー像Ｔがブラックの未定着トナー像Ｔに重ねて転写される。
【００５２】
このようにして中間転写ベルトＢに１次転写された未定着トナー像Ｔは、中間転写ベルトＢの回動に伴って記録シートの搬送経路に面した２次転写領域Ｑ4へと搬送される。前記２次転写領域Ｑ4では半導電性の外側２次転写ロール３０が中間転写ベルトＢに接しており、ピックアップローラ４２によって所定のタイミングでトレイ４１から搬出された記録シートＳは、さばきロール４３で１枚づつ分離され、レジロール４４で一旦停止されて、所定のタイミングでガイド搬送路４５から前記２次転写領域Ｑ4に搬送される。
前記電源回路３２b（図３参照）により、前記外側２次転写ロール３０にトナーの帯電極性と逆極性の直流電圧を印加すると、中間転写ベルトＢに担持された未定着トナー像Ｔは、前記２次転写領域Ｑ4において記録シートＳに静電転写される。
【００５３】
この際、前述したように、中間転写ベルトＢの帯電量は既に知りえているため、２次転写時に外側２次転写ロール３０に印加される電圧は中間転写ベルトＢの表面電位（帯電量）によって２次転写電圧に重畳される電圧を考慮した電圧に可変されたその時の２次転写に最適な電圧が印加されることとなる。
そして、未定着トナー像が転写された記録シートＳは剥離爪３４によって中間転写ベルトＢから剥がされ、シート搬送ベルト４７によって定着領域Ｑ6に搬送され、定着装置４８により未定着トナー像が定着される。一方、未定着トナー像の２次転写が終了した中間転写ベルトＢは、ベルトクリーナ３５によって残留トナーが除去される。
【００５４】
また２次転写後に行われる中間転写ベルトＢの除電についても、前述したように中間転写ベルトＢの帯電量が既知であるためその帯電量に応じた適正な除電条件が設定された後、除電ロール３６に対してベルト除電用電源回路３２bから電圧が印加され、中間転写ベルトＢの除電が行われる。
たとえば、中間転写ベルトＢの帯電量が１.２ｋＶであるとき、除電条件としては交流電圧のＶｐ−ｐは３.５ｋＶまた周波数は２００Ｈｚ、また直流電圧は前記帯電量・除電電圧対応テーブルＣ5mのデータを使用して決定する。
このように構成されるカラー複写機では、外側２次転写ロール３０と内側２次転写ロール（バックアップロール）２９との間には常に安定した転写電界が形成され、トナー像を中間転写ベルトＢから記録シートＳへ良好に転写することができる。
【００５５】
図６は前記実施例１の１次転写器出力制御フローである。図７は２次転写電圧・ベルト除電電圧決定フローである。図８は２次転写器出力制御フローである。図９は除電器出力制御フローである。
前記図６〜９のフローチャートの各ステップの処理は、前記コンピュータにより構成されたコントローラＣのＲＯＭに記憶されたプログラムに従って行われる。また、各フローチャートの処理は他の処理と並行してマルチタスクで実行される。
【００５６】
（１次転写器出力制御フロー）
図６に示す１次転写器出力制御フローでは、ＳＴ1（ステップ１）においてコピースタートキーがオンされたか否か判断する。ノー（Ｎ）の場合はＳＴ1を繰り返し実行する。イエス（Ｙ）の場合はＳＴ2に移る。
ＳＴ2においてフルカラーモードか否か判断する。この判断は前記ＵＩ（ユーザインタフェース）のフルカラーモード選択キーＵＩbが押されたか否かにより判断する。イエス（Ｙ）の場合はＳＴ3に移る。
ＳＴ3において画像領域前側部分Ｒ1が１次転写領域Ｑ3に到達したか否か判断する。ノー（Ｎ）の場合はＳＴ3を繰り返し実行する。イエス（Ｙ）の場合はＳＴ4に移る。
ＳＴ4において１次転写器Ｔ1に定電流Ｉを供給する。すなわち、本実施例１では定電流転写を行う。
次にＳＴ5において電流値Ｉ記憶メモリＭiに電流値Ｉを記憶する。
【００５７】
次にＳＴ6において４色目の１次転写サイクルの動作中か否か判断する。イエス（Ｙ）の場合はＳＴ7に移り、ノー（Ｎ）の場合はＳＴ9に移る。
ＳＴ7において画像領域前側部分Ｒ1への１次転写器Ｔ1の印加電圧Ｅを測定する。
次にＳＴ8において測定電圧Ｅ記憶メモリＭeに測定電圧値Ｅを記憶する。
次にＳＴ9において画像領域後端が１次転写領域Ｑ3を通過したか否か判断する。ノー（Ｎ）の場合はＳＴ9を繰り返し実行し、イエス（Ｙ）の場合はＳＴ10に移る。
ＳＴ10において１次転写電流をオフとする。
次にＳＴ11においてジョブが終了したか否か判断する。ノー（Ｎ）の場合は前記ＳＴ3に戻り、イエス（Ｙ）の場合は前記ＳＴ1に戻る。
【００５８】
前記ＳＴ2においてイエス（Ｙ）の場合（フルカラーモードでない場合）はＳＴ12に移る。
ＳＴ12において画像領域前側部分Ｒ1が１次転写領域Ｑ3に到達したか否か判断する。ノー（Ｎ）の場合はＳＴ12を繰り返し実行する。イエス（Ｙ）の場合はＳＴ13に移る。
ＳＴ13において１次転写器Ｔ1に転写用の定電流Ｉを供給する。
次にＳＴ14において電流値Ｉ記憶メモリＭiに電流値Ｉを記憶する。
【００５９】
次にＳＴ15において１次転写器Ｔ1による画像領域前側部分Ｒ1への印加電圧Ｅを測定する。
次にＳＴ16において測定電圧Ｅ記憶メモリＭeに測定電圧値Ｅを記憶する。
次にＳＴ17において画像領域後端が１次転写領域Ｑ3を通過したか否か判断する。ノー（Ｎ）の場合はＳＴ17を繰り返し実行し、イエス（Ｙ）の場合はＳＴ18に移る。
ＳＴ18において１次転写電流をオフとする。
次にＳＴ19においてジョブが終了したか否か判断する。ノー（Ｎ）の場合は前記ＳＴ12に戻り、イエス（Ｙ）の場合は前記ＳＴ1に戻る。
【００６０】
（２次転写電圧・ベルト除電電圧決定フロー）
図７に示す１次転写器出力制御フローでは、ＳＴ21（ステップ２１）においてコピースタートキーがオンされたか否か判断する。ノー（Ｎ）の場合はＳＴ21を繰り返し実行する。イエス（Ｙ）の場合はＳＴ22に移る。
ＳＴ22において測定電圧値Ｅ記憶メモリＭeへの書込が行われたか否か判断する。ノー（Ｎ）の場合はＳＴ22を繰り返し実行する。イエス（Ｙ）の場合は、フルカラーモードでは４色目の１次転写サイクル時に画像領域前側部分Ｒ1（図２参照）の帯電電位が測定され、その測定値の書込が行われたことを意味する。またフルカラーモードでない場合（モノクロモードの場合）にはモノクロ画像の１次転写サイクル時に画像領域前側部分Ｒ1（図２参照）の帯電電位が測定されたことを意味する。
すなわち、中間転写ベルトＢ上の画像領域が次に２次転写領域Ｑ4を通過する時には２次転写を行うことを意味する。
【００６１】
ＳＴ22においてイエス（Ｙ）の場合はＳＴ23に移る。
ＳＴ23においてコントローラＣの２次転写電圧決定手段Ｃ4により、前記メモリＭi，Ｍeの記憶値Ｉ，Ｅの値に応じた２次転写電圧を決定する。
次にＳＴ24において、コントローラＣの除電電圧決定手段Ｃ5により、前記メモリＭi，Ｍeの記憶値Ｉ，Ｅの値に応じた除電電圧を決定する。
次にＳＴ25においてジョブが終了したか否か判断する。ノー（Ｎ）の場合は前記ＳＴ22に戻り、イエス（Ｙ）の場合は前記ＳＴ21に戻る。
【００６２】
（２次転写器出力制御フロー）
図８に示す２次転写器出力制御フローでは、ＳＴ31（ステップ３１）においてコピースタートキーがオンされたか否か判断する。ノー（Ｎ）の場合はＳＴ31を繰り返し実行する。イエス（Ｙ）の場合はＳＴ32に移る。
ＳＴ32において電圧値Ｅ記憶メモリＭeへの書込が行われたか否か判断する。ノー（Ｎ）の場合はＳＴ32を繰り返し実行する。イエス（Ｙ）の場合はＳＴ33に移る。
ＳＴ33において画像領域前側部分Ｒ1が２次転写領域Ｑ4に到達したか否か判断する。ノー（Ｎ）の場合はＳＴ33を繰り返し実行する。イエス（Ｙ）の場合はＳＴ34に移る。
【００６３】
ＳＴ34において２次転写器Ｔ2に２次転写電圧を印加する。このときの２次転写電圧は前記図７のＳＴ23で決定された電圧値である。
次にＳＴ35において画像領域後端が２次転写領域Ｑ4を通過したか否か判断する。ノー（Ｎ）の場合はＳＴ35を繰り返し実行する。イエス（Ｙ）の場合はＳＴ36に戻る。
ＳＴ36において２次転写電圧をオフとする。
次にＳＴ37においてジョブが終了したか否か判断する。ノー（Ｎ）の場合は前記ＳＴ32に移り、イエス（Ｙ）の場合は前記ＳＴ31に戻る。
【００６４】
（除電器出力制御フロー）
図９に示す除電器出力制御フローでは、ＳＴ41（ステップ４１）においてコピースタートキーがオンされたか否か判断する。ノー（Ｎ）の場合はＳＴ41を繰り返し実行する。イエス（Ｙ）の場合はＳＴ42に移る。
ＳＴ42において電圧値Ｅ記憶メモリＭeへの書込が行われたか否か判断する。ノー（Ｎ）の場合はＳＴ42を繰り返し実行する。イエス（Ｙ）の場合はＳＴ43に移る。
ＳＴ43において画像領域前側部分Ｒ1が除電領域Ｑ5に到達したか否か判断する。ノー（Ｎ）の場合はＳＴ43を繰り返し実行する。イエス（Ｙ）の場合はＳＴ44に移る。
【００６５】
ＳＴ44において除電ロール３６に除電電圧を印加する。このときの除電電圧は前記図７のＳＴ24で決定された電圧値である。
次にＳＴ45において画像領域後端が除電領域Ｑ5を通過したか否か判断する。ノー（Ｎ）の場合はＳＴ45を繰り返し実行する。イエス（Ｙ）の場合はＳＴ46に戻る。
ＳＴ46において除電電圧をオフとする。
次にＳＴ47においてジョブが終了したか否か判断する。ノー（Ｎ）の場合は前記ＳＴ42に移り、イエス（Ｙ）の場合は前記ＳＴ41に戻る。
【００６６】
（実施例２）
図１０は本発明の画像形成装置の実施例２の説明図である。
なお、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
図１０において、前記実施例１の図１に示す中間転写ベルトＢの代わりに中間転写ドラムＤが設けられている。前記中間転写ドラムＤの表面の移動経路に沿って１次転写領域Ｑ3、２次転写領域Ｑ4および除電領域Ｑ5が設定されている。
１次転写領域Ｑ3にはコロトロンにより構成された１次転写器Ｔ1が配置され、２次転写領域Ｑ4にはコロトロンにより構成された２次転写器Ｔ2が配置され、除電領域Ｑ5には除電ブラシ３６が、中間転写ドラムＤ表面に接触する除電位置と中間転写ドラムＤ表面から離隔した離隔位置との間で移動可能に配置されている。
【００６７】
この実施例２においても、中間転写ドラムＤ表面のトナー像が転写される画像領域の前側部分に１次転写電圧または電流を印加し、最終色の転写時の１次転写電圧または１次転写電流を測定（１次転写が定電流転写の場合には１次転写電圧を測定し、定電圧転写の場合には１次転写電流を測定）し、その測定値に応じて前記実施例１と同様にして２次転写電圧または除電電圧を決定することにより、適切な２次転写および除電を行うことができる。
【００６８】
（実施例３）
図１１は本発明の画像形成装置の実施例３の説明図である。図１２は前記図１１の要部拡大説明図である。
なお、この実施例３の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
図１１において、本発明の実施例３の画像形成装置としてのタンデム式デジタルカラー複写機Ｆでは、プラテンガラス２上の原稿の反射光は結像レンズ９を通って、ＣＣＤ（カラー画像読取センサ）により赤色（Ｒ），緑色（Ｇ），青色（Ｂ）のアナログ信号として読み取られる。
【００６９】
ＣＣＤで読み取られたＲ（赤色），Ｇ（緑色），Ｂ（青色）の画像信号は、コントローラＣにより制御されるＩＰＳ（イメージプロセッシングシステム）に入力される。前記ＩＰＳの書込画像データ出力手段１２が出力するＫＹＭＣの４色の画像書込データ（レーザ駆動データ）は、各色Ｋ，Ｙ，Ｍ，Ｃのレーザ駆動信号出力装置１４k，１４y，１４m，１４cにより構成されるレーザ駆動信号出力装置１４に入力される。前記各色のレーザ駆動信号出力装置１４k，１４y，１４m，１４cは、入力された画像データに応じたレーザ駆動信号を所定のタイミングで、各色の潜像書込装置ＲＯＳk，ＲＯＳy，ＲＯＳm，ＲＯＳcに出力する。
【００７０】
各像担持体１６k，１６y，１６m，１６cはそれぞれの帯電器１７k，１７y，１７m，１７cにより一様に帯電された後、画像書込領域Ｑ1k、Ｑ1y、Ｑ1m、Ｑ1cにおいて、前記潜像書込装置ＲＯＳk，ＲＯＳy，ＲＯＳm，ＲＯＳcの出力するレーザビームＬk，Ｌy，Ｌm，Ｌcによりその表面に静電潜像が形成される。前記像担持体１６k，１６y，１６m，１６c表面の静電潜像は、現像領域Ｑ2k，Ｑ2y，Ｑ2m，Ｑ2cにおいて現像装置１８k，１８y，１８m，１８cによりトナー像に現像される。その現像されたトナー像は、１次転写領域Ｑ3k，Ｑ3y，Ｑ3m，Ｑ3cで１次転写器Ｔ1k，Ｔ1y，Ｔ1m，Ｔ1cにより中間転写ベルトＢに１次転写される。像担持体１６k，１６y，１６m，１６cは中間転写ベルトＢにトナー像を転写した後、その表面の残留トナーは像担持体クリーナ２０k，２０y，２０m，２０cで除去される。
【００７１】
図１１、図１２において、画像形成装置本体には、移動台用のスライドレールＧ，Ｇにより移動台Ｆ1（２点鎖線で表示）が前後にスライド移動可能に支持されている。移動台Ｆ1にはベルトモジュール（上下移動部材）Ｆ2が昇降可能に支持されている。図１２はベルトモジュールＦ2が上昇位置に保持された状態が示されているが、前記移動台Ｆ1を画像形成装置本体に装着または離脱させる際に前後に移動させるときには下降位置（図示せず）に保持される。このような、移動台Ｆ1を前後移動させる構成およびベルトモジュールＦ2を昇降させる構成は、従来公知（例えば、特開平８−１７１２４８号公報参照）であり、従来公知の種々の構成を採用することが可能である。
【００７２】
ベルトモジュールＦ2は、中間転写ベルトＢおよび前記中間転写ベルトＢを回転可能に支持するベルト駆動ロール２６、テンションロール２７、複数のアイドラロール２８および内側２次ロール２９を含むベルト支持ロール２６〜２９により回転移動可能に支持されている。
前記内側２次転写ロール２９に接する中間転写ベルトＢの表面に対向して外側２次転写ロール３０が配置されており、中間転写ベルトＢおよび外側２次転写ロール３０の対向する領域には２次転写領域Ｑ4が形成される。前記内側２次転写ロール２９および外側２次転写ロール３０により２次転写器Ｔ2が構成されている。
また、外側２次転写ロール３０は２次転写ロールクリーナ３３により表面に付着した現像剤が除去され、除去された現像剤は２次転写ロールクリーナ３３の現像剤回収容器に回収される。
前記中間転写ベルトＢは、前記ベルト駆動ロール２９の上流側部分の外側面においてベルトクリーナ３５によりクリーニングされる。
前記ベルトクリーナ３５の下流側に配置されたベルト駆動ロール２６の外側に設定された除電領域Ｑ5には除電ブラシ３６が、中間転写ベルトＢ表面に接触して配置されている。除電ブラシ３６は導電性のブラシで構成されており、例えばそのブラシ抵抗率は１０6Ω・ｃｍに調整されている。
【００７３】
前記外側２次転写ロール３０は、揺動軸３７a回りに揺動可能な揺動アーム３７により回転自在に支持されている。揺動アーム３７は引張バネ３８により常時前記内側２次転写ロール２９から離れた位置に保持され、ソレノイド３７が作動したときにのみ前記内側２次転写ロール２９に当接する位置（２次転写位置）に移動するように構成されている。
したがって、前記移動台Ｆ1およびこれに支持されたベルトモジュールＦ2が画像形成装置本体に対して着脱される際に前後に移動する際には、ベルトモジュールＦ2は図２に示すように下方位置に保持されて前記像担持体１６k，１６y，１６m，１６cと摩擦接触しないように構成されており、前記外側２次転写ロール３０は前記内側２次転写ロール２９から離れた下方位置に移動して、前記中間転写ベルトＢと摩擦接触しないように構成されている。
【００７４】
像担持体１６y，１６m，１６c，１６k表面上のトナー像は、前記１次転写領域Ｑ3y，Ｑ3m，Ｑ3c，Ｑ3kで１次転写器Ｔ1y，Ｔ1m，Ｔ1c，Ｔ1kにより中間転写ベルトＢ上に順次重ねて転写され、中間転写ベルトＢ上にカラー画像が形成される。中間転写ベルトＢ上に形成されたカラートナー像は、２次転写領域Ｑ4に搬送される。
ベルトＢの下方に配置された給紙トレイ４１の記録シートＳは、ピックアップロール４２により取り出され、さばきロール４３により１枚ずつ分離されてからレジロール４４に送られる。レジロール４４は、前記中間転写ベルトＢ上に形成されたカラートナー像が２次転写領域Ｑ4に搬送されるのにタイミングを合わせて前記記録シートＳを２次転写領域Ｑ4に搬送する。
前記中間転写ベルトＢ上のカラートナー像は、前記２次転写領域Ｑ4を通過するする際に前記２次転写器Ｔ2により前記記録シートＳに転写される。前記トナー像が転写された記録シートＳはシート搬送ベルト４７により搬送され、定着領域Ｑ6において定着装置４８の一対の定着ロールにより定着された後、排紙トレー４９に排出される。
【００７５】
この実施例３においても、中間転写ベルトＢ表面のトナー像が転写される画像領域の前側部分Ｒ1に１次転写電圧または電流を印加し、最終色の転写時の１次転写電圧または１次転写電流を測定（１次転写が定電流転写の場合には１次転写電圧を測定し、定電圧転写の場合には１次転写電流を測定）し、その測定値に応じて前記実施例１と同様にして２次転写電圧または除電電圧を決定することにより、適切な２次転写および除電を行うことができる。
【００７６】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更実施例を下記に例示する。
（Ｈ01）本発明は、中間転写ベルトＢを使用したモノクロの画像形成装置にも適用可能である。
【００７７】
【発明の効果】
前述の本発明の画像形成装置は、下記の効果を奏することができる。
（Ｅ01）中間転写体の表面電位を表面電位計を用いずに検出することができる。
（Ｅ02）過大転写電圧による画像の濃度ムラ、画質欠陥等が発生しないように適切な２次転写を行うことができる。また、適正な２次転写電圧を印加することによって、高転写効率が実現され、２次転写終了後の中間転写体上の残存トナーが極低量となるため、中間転写体のクリーニングを容易におこなうことができ、クリーニング部材の高寿命化を図ることが可能となる。
（Ｅ03）中間転写体に蓄積された帯電電荷をムラが発生しないように適切な除電を行うことができる。また、中間転写体を適正な電圧条件で除電することが可能になるため、除電ムラによって誘発される画像の濃度ムラの発生を防ぐことができる。
（Ｅ04）高体積抵抗率の中間転写体を用いた装置を使用して多重色画像の周囲にトナーが飛散する現象を防ぎ高画質な画像を提供することができる。また、画像形成装置内部の汚れが少なくなり、保守容易度を高めることができる。
（Ｅ05）電気的ストレスによる中間転写体の劣化を防止して中間転写体の寿命を延命し保守容易度が高く信頼性の高い画像形成装置を提供することができる。
【図面の簡単な説明】
【図１】  図１は本発明の画像形成装置の実施例１の説明図である。
【図２】  図２は前記図１の要部拡大図である。
【図３】  図３は前記実施例１の制御部のブロック線図である。
【図４】  図４は１次転写装置で定電流転写を行ったときの１次転写装置の印加電圧（ｋＶ）と中間転写ベルトＢの帯電による表面電位（−ｋＶ）との関係を示すグラフである。
【図５】  図５は中間転写ベルトＢの表面電位（−ｋＶ）と、前記表面電位（−ｋＶ）により、２次転写時に２次転写器の２次転写電圧に重畳される電圧（２次転写重畳電圧）との関係を示すグラフである。
【図６】  図６は前記実施例１の１次転写器出力制御フローである。
【図７】  図７は２次転写電圧・ベルト除電電圧決定フローである。
【図８】  図８は２次転写器出力制御フローである。
【図９】  図９は除電器出力制御フローである。
【図１０】  図１０は本発明の画像形成装置の実施例２の説明図である。
【図１１】  図１１は本発明の画像形成装置の実施例３の説明図である。
【図１２】  図１２は前記図１１の要部拡大説明図である。
【図１３】  図１３は、像担持体上に形成された未定着トナー像を、中間転写体を介して記録シートに転写する従来の画像形成装置の説明図である。
【符号の説明】
Ｂ…中間転写体（中間転写ベルト）、Ｃ2…画像領域前側部分電圧印加手段、Ｃ3…画像領域前側部分帯電量検知手段、Ｃ4…２次転写電圧決定手段、Ｃ5…除電電圧決定手段、Ｄ…中間転写体（中間転写ドラム）、Ｑ1…潜像書込位置、Ｑ1k，Ｑ1y，Ｑ1m，Ｑ1c…潜像書込位置、Ｑ2…現像領域、Ｑ2k，Ｑ2y，Ｑ2m，Ｑ2c…現像領域、Ｑ3…１次転写領域、Ｑ3k，Ｑ3y，Ｑ3m，Ｑ3c…１次転写領域、Ｑ4…２次転写領域、Ｑ4k，Ｑ4y，Ｑ4m，Ｑ4c…２次転写領域、Ｑ5…除電領域、Ｒ1…画像形成領域の前側部分、Ｓ…記録シート、Ｔ1…１次転写器、Ｔ1k，Ｔ1y，Ｔ1m，Ｔ1c…１次転写器、Ｔ2…２次転写器、
１６…像担持体、１８k，１８y，１８m，１８c…現像装置、１６k，１６y，１６m，１６c…像担持体、３６…除電器、
（４２〜４７）…記録シート搬送装置。
【図１】
0003867387.tif 000002
【図２】
0003867387.tif 000003
【図３】
0003867387.tif 000004
【図４】
0003867387.tif 000005
【図５】
0003867387.tif 000006
【図６】
0003867387.tif 000007
【図７】
0003867387.tif 000008
【図８】
0003867387.tif 000009
【図９】
0003867387.tif 000010
【図１０】
0003867387.tif 000011
【図１１】
0003867387.tif 000012
【図１２】
0003867387.tif 000013
【図１３】
0003867387.tif 000014